(57)【要約】【課題】チューブ容器のように、正立不能な容器に対しても縦形ポンプを装着してそのポンプ操作で容器内収納物を噴出可能とした。【解決手段】吸上げ口を開口するシリンダ下端のシリンダ底板４から、吸上げ口を囲んで内外二重筒６、７を垂下する縦形ポンプ１と、その内筒６内面へ口頸部２５を嵌合させ垂下する容器体２１と、該容器体を筒部３２内へ挿入させて、口頸部３４を上記内外二重筒６、７間へ嵌合させた把持筒３１とで形成し、把持筒下端面を接地面としての正立が可能に形成した。【選択図】図１
2004298676.tif 000002
【特許請求の範囲】
【請求項１】
シリンダ底板中央部に開口する吸上げ口を囲んでシリンダ底板４から内外二重筒６、７を垂下する縦形ポンプ１と、
上記二重筒の内筒６内面へ、口頸部２５を水密にかつ着脱自在に嵌合させると共に、該口頸部下端から可撓性の有底胴部を垂下する容器体２１と、
筒部３２上端から口頸部３４を起立させ、該筒部内へ上記容器体を挿入させて口頸部３４を上記内外筒間へ着脱自在に嵌合させた把持筒３１とからなり、
該把持筒下端面を接地面として、上記縦形ポンプ１と容器体２１と把持筒３１とを共に正立状態に起立させることが可能に形成した
ことを特徴とする、縦形ポンプ付き容器。
【請求項２】
上記吸上げ口周縁から吸上げパイプ３を垂下させ、該吸上げパイプを口頸部を通って容器体内へ垂下させた
ことを特徴とする請求項１記載の縦形ポンプ付き容器。
【請求項３】
上記シリンダ底板４から垂下する内外二重筒のうち、内筒６は長く、外筒７は短かく、形成した
ことを特徴とする、請求項１又は２記載の縦形ポンプ付き容器。
【請求項４】
上記把持筒３１を、筒部３２上端から肩部３３を介して口頸部３４を起立させると共に口頸部上端面から筒部下端近くまで複数の割溝３５、３５を縦設させて、かつ筒部下部の弾性に抗して上記割溝により形成された分割筒状部の開閉が自在に形成した
ことを特徴とする、請求項１、２又は３記載の縦形ポンプ付き容器。
【請求項５】
上記容器体２１を、胴部下端を板状シール部として閉塞する合成樹脂製のチューブ容器で形成し、該チューブ容器胴部下端の板状シール部２３の少くとも両側部を、上記割溝３５、３５の下方部分を介して外方へ露出させた
ことを特徴とする、請求項１、２、３又は４記載の縦形ポンプ付き容器。
【発明の詳細な説明】
【０００１】
【発明の属する技術分野】
本発明は縦形ポンプ付き容器に関する。
【０００２】
【従来の技術】
通常縦形ポンプは、容器体内へ垂下させたシリンダ上端の外向きフランジを、容器体口頸部の上端面へ係合させて容器体口頸部外面へ螺合させた装着筒上端の内向きフランジと上記口頸部上端面とで挟持させ、シリンダ内から上方付勢させて起立させたノズル付き作動材の上下動により、容器体内液体をシリンダ内へ吸上げ、又該シリンダ内へ吸上げた液体を作動部材上端のノズルから噴出可能に形成している（例えば特許文献１）。
【０００３】
【特許文献１】特開２００１−２３９１９２号公報
【０００４】
【発明が解決しようとする課題】
上記のような従来例において容器体は正立可能で、作動部材の押下げに耐える剛状が必要とされるが、その容器体を例えば胴部下端を板状シール部として閉塞するチューブ容器のように、正立不能で容器を横向きとして台上等へ載置する容器であってもよいようにすれば、容器以外の縦形ポンプ等は再使用出来るから、容器を従来よりも薄肉にする等して廉価に製作することが出来、縦形ポンプの用途を拡げることが出来る。
【０００５】
本発明はそのように正立不能な容器に対しても使用できるよう設けたものである。
【０００６】
【課題を解決するための手段】
第１の手段としてシリンダ底板中央部に開口する吸上げ口を囲んでシリンダ底板４から内外二重筒６、７を垂下する縦形ポンプ１と、
上記二重筒の内筒６内面へ、口頸部２５を水密にかつ着脱自在に嵌合させると共に、該口頸部下端から可撓性の有底胴部を垂下する容器体２１と、
筒部３２上端から口頸部３４を起立させ、該筒部内へ上記容器体を挿入させて口頸部３４を上記内外筒間へ着脱自在に嵌合させた把持筒３１とからなり、
該把持筒下端面を接地面として、上記縦形ポンプ１と容器体２１と把持筒３１とを共に正立状態に起立させることが可能に形成した。
【０００７】
第２の手段として、上記第１の手段を有すると共に上記吸上げ口周縁から吸上げパイプ３を垂下させ、該吸上げパイプを口頸部を通って容器体内へ垂下させた。
【０００８】
第３の手段として、上記第１、又は第２の手段を有すると共に上記シリンダ底板４から垂下する内外二重筒のうち、内筒６は長く、外筒７は短かく、形成した。
【０００９】
第４の手段として、上記第１、第２又は第３記載の手段を有すると共に上記把持筒３１を、筒部３２上端から肩部３３を介して口頸部３４を起立させると共に口頸部上端面から筒部下端近くまで複数の割溝３５、３５を縦設させて、かつ筒部下部の弾性に抗して上記割溝により形成された分割筒状部の開閉が自在に形成した。
【００１０】
第５の手段として、上記第１、第２、第３又は第４の手段を有すると共に上記容器体２１を、胴部下端を板状シール部として閉塞する合成樹脂製のチューブ容器で形成し、該チューブ容器胴部下端の板状シール部２３の少なくとも両側部を、上記割溝３５、３５の下方部分を介して外方へ露出させた。
【００１１】
【発明の実施の形態】
以下図１と図２とが示す第１実施形態について説明すると、１は縦形ポンプで、シリンダ２下端から吸上げパイプ３を垂下し、又シリンダ底板４下面から上記吸上げパイプ３を嵌合させて垂下するパイプ嵌合筒５を囲んで内外二重筒を垂下する。その内筒６は雌ねじ筒として長く下方へ垂下させ、又外筒７は短かく内筒上部を囲んでいる。シリンダ２の底部内には吸込み弁８を設け、そのシリンダ内からは、上方付勢させる作動部材９を上方付勢させて起立している。作動部材９は、筒部１０の下部に吐出弁孔１１を穿設すると共にその筒部の下部外面へ筒状ピストン１２を一定ストローク上下動可能に嵌合させ、該筒状ピストン下端面が筒部上昇により筒部の下部外面へ固設された突条上面へ接することで吐出弁が閉じ、又筒部下降で筒状ピストンよりも早く下降することで吐出弁孔１１が開いて吐出弁が開弁するよう設けている。作動部材上端からはノズル１３を側外方へ突出させている。尚上記吸上げパイプは必ずしも必要とせず、シリンダ底板中央部を吸上げ口として開口させただけでもよい。このようにした場合はその吸上げ口を囲んで内外筒６、７を垂下させることとなる。
【００１２】
２１は容器体で、図示例では胴部２２下端を板状シール部２３として閉塞した合成樹脂製のチューブ容器で形成している。胴部２２上端からは肩部２４を介して口頸部２５を起立しており、該口頸部は雌ねじ筒に形成して、既述内筒６内面へ螺合させている。該口頸部螺合時において、吸上げパイプ３は口頸部内を通り胴部２２の上部内へ垂下させている。
【００１３】
３１は把持筒で、下端面開口の筒部３２上端から肩部３３を介して口頸部３４を起立する形状で、かつその口頸部上端面から筒部下端近くまで左右一対の割溝３５、３５を垂下させている。その筒部は下部をやや大径としており、その筒部の長さは、チューブ容器胴部２２の長さよりも長く形成している。該把持筒は、その下端連結部分３６、３６の弾性に抗して割溝前後の半筒状部の上部間が開き、又狭まるよう設けており、図が示すようにチューブ容器口頸部２５を内筒６内面へ水密に嵌合させてその胴部２２を垂下させた状態から、半筒状部上部間を開いてそれ等半筒状部間へチューブ容器の肩部２４および胴部２２を入れ、該状態から両半筒状部の上部を狭めることで半筒状部の半口頸部部分３４ａが内筒６の露出部分外面へ接し、該状態からの把持筒押上げにより、半口頸部部分の上記が内外筒６、７間へ嵌合できるよう設けている。図示例ではこのときチューブ容器下端の板状シール部２３の両端および該両端上方の胴下方部部分が割溝３５、３５外方へ露出するよう設けている。
【００１４】
尚筒部下端へは外向きフランジ３７を付設して接地面を拡げることが望ましい。
【００１５】
図が示すように、縦形ポンプ１と容器体２１と、把持筒３１とを共に組付けた状態において、それ等は筒部３２下端面を接地面として台上等へ正立させることが可能に形成する。
【００１６】
図示状態から作動部材９を上下動させることで、チューブ容器体内収納物はシリンダ２内へ吸上げられ、又該シリンダ内収納物はノズル１３から噴出され、該噴出により収納物が減少するに従ってチューブ容器胴部は収縮する。
【００１７】
チューブ容器内収納物が無くなれば、まず半口頸部上端が外筒７下端よりも下方へ位置するまで把持筒３１を引下げ、半筒状部上部を開いて該把持筒を外し、次いで空となったチューブ容器を外し、未使用のチューブ容器を螺合させ、両把持筒３１の半筒状部３４ａ、３４ａ間へチューブ容器胴部２２を入れ、かつ半口頸部３４ａ、３４ａを内筒６の露出部分外面へ当ててそのまま把持筒３１を押上げ、半口頸部３４ａ、３４ａ上部を内外筒６、７間へ嵌合させればよい。
【００１８】
上記実施形態における縦形ポンプ、容器、把持筒は、それぞれ形状を変えることが可能であり、例えば縦形ポンプは図３が示すように作動部材９上端へ流出路４２付きの櫛４１を嵌合させてもよく、ノズルを上方へテーパ状に起立させてもよく、シリンダ内から起立させたステム上端へノズル付きの押下げヘッドを嵌合させた、既述従来例のような形状でもよい。その他特開２００３−３８９９１号公報のようなトリガー式とすることも考えられ、又上面に皿状部付設し、ポンプ操作で該皿状部内へ容器体内収納物が流入するようにすることも考えられる。又チューブ容器に代えて図４が示すように底板外周から可撓性胴部を起立させ、該胴部上端から肩部を介して口頸部を起立してもよく、把持筒３１も該把持筒内へ容器体胴部を挿入可能であれば、割溝３５、３５は不要となる場合もある。又容器体内へ収納する収納体としては、粘性の有無を問わず、液状調味料、クリーム状食品、液状洗剤等が考えられ、要するにポンプ操作で流出可能であれば、どのような対象物であってもよい。
【００１９】
【発明の効果】
本発明は既述構成とするもので、請求項１又は２記載のようにすることで、容器体は、底壁を接地面としての正立が不能であっても、又胴部が可撓性の薄肉であってもよく、よって従来に比して口頸部を除く容器体部分の剛状が不要となるため廉価とすることが出来、又縦形ポンプに対して容器体および把持筒を着脱自在とするから容器体だけを交換することで、縦形ポンプおよび把持筒は永続的に使用できる便利がある。
【００２０】
請求項３のようにすることで、把持筒口頸部を外筒７下方の内筒６部分外面へ嵌合させ、そのまま把持筒を押上げするだけで把持筒３１を装着できる便利がある。
【００２１】
請求項４のようにすることで把持筒上部の半筒状部を開閉でき、該把持筒内への容器体挿入が容易となる。
【００２２】
請求項５のようにすることで、把持筒の下部内径よりも巾広の板状シール部２３を有するチューブ容器でも、その板状シール部の両端部を両割溝３５、３５下部内を通って把持筒の下部外方へ突出させて把持筒へ収納できることとなり、把持筒に比して比較的大きく、本来使用できないチューブ容器を使用できる便利がある。又板状シール部の両端が両割溝外方へ突出しているから、縦形ポンプを外す際の回転止めとなる。更にチューブ容器であれば各種用途に広く使用されているため、大量生産によりコストを廉価とすることが出来る。
【図面の簡単な説明】
【図１】本発明容器の半断面図である。
【図２】図１容器の斜視図である。
【図３】第２実施形態で示す容器の半断面図である。
【図４】第３実施形態で示す半断面図である。
【符号の説明】
１…縦形ポンプ                        ２…シリンダ
３…吸上げパイプ                      ４…シリンダ底板
６…内筒                              ７…外筒
９…作動部材                          ２１…容器体
２２…胴部                              ２３…板状シール部
３１…把持筒                            ３２…筒部
３４…口頸部                          ３４ａ…半口頸部
３５…割溝
【図１】
2004298676.tif 000003
【図２】
2004298676.tif 000004
【図３】
2004298676.tif 000005
【図４】
2004298676.tif 000006